(57)【要約】【課題】安全、迅速かつ容易に表示画面の保守点検を行うことができる情報表示装置、保守点検装置及び保守点検システムを提供する。【解決手段】検査用車両３に搭載された保守点検装置２は、保守点検指令を情報表示装置１に送信する。保守点検指令を受信すると、情報表示装置１の表示制御部１１は、表示画面１０Ａにおける走行車両に対する情報の表示を中断して、発光素子１０Ｂを駆動して、表示画面１０Ａに検査用の点灯パターンを表示させる。保守点検装置２のカメラ２０は、点灯パターンが表示されたタイミングで表示画面１０Ａを撮像し、検査処理部２１は、撮像データに基づいて、発光素子１０Ｂの点灯状態を検査する。【選択図】図１
2018120509.tif 000002
【特許請求の範囲】
【請求項１】
発光素子が配列されて構成され、移動体に対する情報を表示する表示部と、
無線信号を受信する無線信号受信部と、
前記無線信号受信部を介して前記発光素子の点灯状態の保守点検指令を受信すると、前記表示部における前記移動体に対する情報の表示を中断して、前記表示部に検査用の点灯パターンを表示させた後、前記移動体に対する情報の表示を再開する表示制御部と、
を備える情報表示装置。
【請求項２】
前記無線信号を送信する無線信号送信部を備え、
前記表示制御部は、
前記無線信号送信部に、前記表示部の撮像指令を送信するとともに、前記表示部に検査用の点灯パターンを表示させる、
請求項１に記載の情報表示装置。
【請求項３】
前記表示制御部は、
前記無線信号受信部を介して前記発光素子の点灯状態の調整指令を受信すると、その調整指令に従って前記発光素子の点灯状態を調整する、
請求項１又は２に記載の情報表示装置。
【請求項４】
前記検査用の点灯パターンは、
全ての前記発光素子を点灯させる全点灯パターンと、
全ての前記発光素子を消灯させる全消灯パターンと、
一列に並ぶ前記発光素子を点灯させ、点灯する前記発光素子の列を順次切り替える走査点灯パターンと、
を含み、
前記表示制御部は、
前記全点灯パターンと、前記全消灯パターンと、前記走査点灯パターンとを、前記表示部に表示させる、
請求項１から３のいずれか一項に記載の情報表示装置。
【請求項５】
前記検査用の点灯パターンの表示時間は、
その点灯パターンを目視で認識できないほど短い時間である、
請求項１から４のいずれか一項に記載の情報表示装置。
【請求項６】
前記無線信号の伝送媒体は、電波、光、音波又は超音波である、
請求項１から５のいずれか一項に記載の情報表示装置。
【請求項７】
発光素子が配列されて構成される表示部に、移動体に対する情報を表示する移動体用の情報表示装置の保守点検装置であって、
無線信号を送信する無線信号送信部と、
前記表示部の撮像を行う撮像部と、
前記無線信号送信部に前記発光素子の点灯状態の保守点検指令を送信させ、前記撮像部に前記表示部を撮像させる撮像制御部と、
前記撮像部の撮像データに基づいて、前記表示部における前記発光素子の点灯状態を検査する検査部と、
を備える保守点検装置。
【請求項８】
前記無線信号を受信する無線信号受信部と、
前記撮像制御部は、
前記無線信号受信部を介して前記表示部の撮像指令を受信すると、前記撮像部に前記表示部を撮像させる、
請求項７に記載の保守点検装置。
【請求項９】
前記検査部は、
前記撮像部で撮像された前記発光素子の画像に基づいて前記発光素子の点灯状態の調整指令を生成し、
前記無線信号送信部は、
前記検査部で生成された前記発光素子の点灯状態の調整指令を送信する、
請求項７又は８に記載の保守点検装置。
【請求項１０】
道路上を走行可能な走行部を備える、
請求項７から９のいずれか一項に記載の保守点検装置。
【請求項１１】
前記無線信号の伝送媒体は、電波、光、音波又は超音波である、
請求項７から１０のいずれか一項に記載の保守点検装置。
【請求項１２】
請求項１に記載の情報表示装置と、
請求項７に記載の保守点検装置と、
を備える保守点検システム。
【請求項１３】
請求項２に記載の情報表示装置と、
請求項８に記載の保守点検装置と、
を備える保守点検システム。
【請求項１４】
請求項３に記載の情報表示装置と、
請求項９に記載の保守点検装置と、
を備える保守点検システム。
【発明の詳細な説明】
【技術分野】
【０００１】
この発明は、情報表示装置、保守点検装置及び保守点検システムに関する。
【背景技術】
【０００２】
高速道路又は一般道路では、走行する自動車に、渋滞や事故等の様々な道路交通情報を伝えるために、発光素子が配列されて表示画面が構成された情報表示装置が設置されている（例えば、特許文献１参照）。情報表示装置は、運転者に対して重要な情報を伝えるものであるため、個々の発光素子が正常に点灯するように保守点検が定期的に行われている。
【０００３】
情報表示装置の保守点検では、情報表示装置の道路交通情報の表示は一旦停止され、情報表示装置の近傍に「試験中」と表示された看板等が掲示される。その上で、情報表示装置に組み込まれているヒューマン・マシン・インターフェイス操作部を操作して検査用の点灯パターンを情報表示装置の表示画面に表示させ、情報表示装置の表示画面の個々の発光素子の点灯状態を確認することができる距離にある道路脇から検査員が情報表示装置の表示画面に表示された検査用の点灯パターンを目視で確認する。この目視により、情報表示装置の表示画面の表示状態（より詳細には、個々の発光素子の点灯状態）が検査される。
【先行技術文献】
【特許文献】
【０００４】
【特許文献１】特開平０６−２０３２９４号公報
【発明の概要】
【発明が解決しようとする課題】
【０００５】
上述のように、自動車が頻繁に行きかう危険な道路脇から検査員が個々の発光素子の点灯状態を目視で確認する必要があるため、情報表示装置の保守点検は危険で煩雑な作業となる。また、保守点検中は、情報表示装置による道路交通情報の表示を一定時間停止する必要があり、この間は運転者に必要な情報を伝えることができない。このため、安全、迅速かつ容易に情報表示装置の表示画面の保守点検を行うことができる仕組みの構築が期待されている。
【０００６】
本発明は、上記実情に鑑みてなされたものであり、安全、迅速かつ容易に表示画面の保守点検を行うことができる情報表示装置、保守点検装置及び保守点検システムを提供することを目的とする。
【課題を解決するための手段】
【０００７】
上記目的を達成するために、本発明に係る情報表示装置は、発光素子が配列されて構成され、移動体に対する情報を表示する表示部を備える。さらに、この情報表示装置は、無線信号を受信する無線信号受信部と、無線信号受信部を介して発光素子の点灯状態の保守点検指令を受信すると、表示部における移動体に対する情報の表示を中断して、表示部に検査用の点灯パターンを表示させた後、移動体に対する情報の表示を再開する表示制御部と、を備える。
【発明の効果】
【０００８】
本発明に係る情報表示装置は、保守点検指令を受信すると、移動体に対する情報の表示を中断し、表示部に検査用の点灯パターンを表示させ、移動体に対する情報の表示を再開する。したがって、表示画面に表示された検査用の点灯パターンを撮像装置で撮像すれば、その撮像データに基づいて表示画面の発光素子の点灯状態を自動的に検査することができるうえ、移動体に対する情報の表示を停止する時間を短くすることができる。この結果、安全、迅速かつ容易に表示画面の保守点検を行うことができる。
【図面の簡単な説明】
【０００９】
【図１】本発明の実施の形態１に係る保守点検システムの構成を示す模式図
【図２】表示部の表示画面を正面から見た図
【図３】表示制御部を中心とする詳細な構成を示すブロック図
【図４】図４（Ａ）、図４（Ｂ）、図４（Ｃ）及び図４（Ｄ）は、検査用点灯パターンの一例を示す図
【図５】検査処理部の構成を示すブロック図
【図６】図１の保守点検システムの動作を示すフローチャート
【図７】検査用車両が走行する様子を示す模式図
【図８】撮像開始位置における撮像視野と表示画面との関係の一例を示す図
【図９】図１の保守点検システムの動作を示すタイミングチャート
【図１０】図１０（Ａ）、図１０（Ｂ）、図１０（Ｃ）及び図１０（Ｄ）は、表示画面の撮像データの一例
【図１１】本発明の実施の形態２に係る保守点検システムの動作を示すフローチャート
【図１２】本発明の実施の形態２に係る保守点検システムの動作を示すタイミングチャート
【図１３】本発明の実施の形態３に係る保守点検システムの動作を示すフローチャート
【図１４】各発光素子の輝度のばらつきの調整を示すグラフ
【発明を実施するための形態】
【００１０】
実施の形態１
まず、本発明の実施の形態１について、図１から図１０を参照して詳細に説明する。
【００１１】
図１に示すように、本発明の実施の形態１に係る保守点検システム１００は、高速道路、一般道路等の道路Ｒに設置された情報表示装置１と、道路Ｒを走行する検査用車両３に搭載された保守点検装置２と、を備える。この保守点検システム１００は、保守点検装置２を搭載する検査用車両３が、情報表示装置１が設置された道路Ｒを走行する際に、情報表示装置１の保守点検を自動的に行うシステムである。
【００１２】
情報表示装置１は、道路Ｒを走行する走行車両（移動体）用の情報板であり、情報を表示する表示部１０と、表示部１０の表示状態を制御する表示制御部１１と、無線信号の送受信回路である無線送受信部１２と、無線信号の送受信アンテナであるアンテナ１３と、有線信号の送受信回路である有線送受信部１４と、を備える。
【００１３】
表示部１０では、運転者が情報を確認できるように、表示画面１０Ａが走行車両（例えば検査用車両３）の進行方向逆向きに設置されている。表示画面１０Ａには、走行車両に対する道路交通情報が表示され、例えば「トンネル内故障車有り」、「＊＊インターチェンジより先１０ｋｍ渋滞」、「大雨により時速５０ｋｍ規制」などの道路交通情報を示す画像が表示される。
【００１４】
表示画面１０Ａでは、図２に示すように、発光素子１０Ｂが２次元配列されて構成される。本実施の形態では、発光素子１０Ｂを、発光ダイオード（ＬＥＤ；light Emitting Diode）とする。発光素子１０Ｂが画素として個別に発光することで、表示画面１０Ａ全体に画像が形成される。以下では、各発光素子１０Ｂに対応する画素をＰ（ｍ，ｎ）で表すものとする。ｍ，ｎは１以上の自然数である。表示画面１０Ａの左上隅から横にｍ番目で、縦にｎ番目の画素を画素Ｐ（ｍ，ｎ）で表す。ｍ，ｎの最小値は１であり、最大値はＭ，Ｎである。
【００１５】
さらに、表示部１０は、図３に示すように、発光素子１０Ｂを個別に駆動するドライバ１０Ｃを備える。ドライバ１０Ｃは、表示制御部１１から出力される点灯パターンに対応する駆動信号に従って、各発光素子１０Ｂを駆動して、表示画面１０Ａにその点灯パターンを表示させる。ドライバ１０Ｃは、各発光素子１０Ｂに流す駆動電流の調整により、個々の発光素子１０Ｂの輝度を個別に変更可能である。
【００１６】
図１に戻り、表示制御部１１は、道路交通情報の表示指令（以下、「通常表示指令」とする）を、有線送受信部１４を介して受信し、検査用点灯パターン４７の表示指令（以下、「保守点検指令」という）を、無線送受信部１２を介して受信する。表示制御部１１は、各種指令に対応する点灯パターンを、ドライバ１０Ｃに出力する。これにより、表示画面１０Ａに、表示すべき点灯パターンが表示される。発光素子１０Ｂの中に点灯状態が良好でないものがあると、走行車両に対して情報を正確に伝達できない可能性があるため、保守点検システム１００は、この表示部１０の表示画面１０Ａの各発光素子１０Ｂの点灯状態の検査を行う。
【００１７】
表示制御部１１は、図３に示すように、演算処理装置であるプロセッサ３０と、プログラム及びデータを格納する記憶部３１と、を備える。
【００１８】
プロセッサ３０は、記憶部３１に格納されたプログラムを実行する。記憶部３１には、メインプログラム４５、割り込みプログラム４６、検査用点灯パターン４７などが記憶されている。
【００１９】
通常、表示制御部１１のプロセッサ３０は、通常の道路交通情報の表示処理であるメインプログラム４５を記憶部３１から読み込んで実行する。メインプログラム４５では、表示制御部１１は、有線送受信部１４を介して受信した通常表示指令を解析して、その指令に係る道路交通情報の表示パターンをドライバ１０Ｃに出力する。この動作により、表示画面１０Ａでは、通常の道路交通情報が表示される。
【００２０】
ここで、無線送受信部１２を介して保守点検指令を受信すると、プロセッサ３０は、内部割り込みを発生させる。内部割り込みが発生すると、メインプログラム４５を実行していたプロセッサ３０は、割り込みプログラム４６を記憶部３１から読み込んで実行する。割り込みプログラム４６では、表示制御部１１のプロセッサ３０は、無線送受信部１２を介して受信した保守点検指令を解析し、検査用点灯パターン４７を記憶部３１から読み込み、検査用点灯パターン４７を表示画面１０Ａに表示すべく、各発光素子１０Ｂを駆動する信号をドライバ１０Ｃに出力する。この動作により、表示画面１０Ａでは、通常の道路交通情報の表示が一時中断され、検査用点灯パターン４７が瞬間的に表示される。
【００２１】
ここで、検査用点灯パターン４７には、図４（Ａ）に示すように、全ての発光素子１０Ｂを点灯させる全点灯パターン４７Ａと、図４（Ｂ）に示すように、全ての発光素子１０Ｂを消灯させる全消灯パターン４７Ｂとがある。また、検査用点灯パターン４７には、図４（Ｃ）に示すように、横一列の発光素子１０Ｂを点灯させ、点灯する発光素子１０Ｂのラインを縦方向に順次切り替える縦走査点灯パターン４７Ｃと、図４（Ｄ）に示すように、縦一列の発光素子１０Ｂを点灯させ、点灯する発光素子１０Ｂのラインを横方向に順次切り替える横走査点灯パターン４７Ｄとがある。縦走査点灯パターン４７Ｃ及び横走査点灯パターン４７Ｄを、走査点灯パターンともいう。なお、図４（Ａ）〜図４（Ｄ）では、発光素子１０Ｂの縦横の配列数を、図２に示す表示画面１０Ａよりも少なくしている。
【００２２】
表示制御部１１は、検査用点灯パターン４７として、図４（Ａ）〜図４（Ｄ）の検査用点灯パターン４７Ａ〜４７Ｄで発光素子１０Ｂを駆動する信号を、順次ドライバ１０Ｃに出力する。
【００２３】
一定期間経過後（すなわち割り込みプログラム４６の実行が完了すると）、表示制御部１１のプロセッサ３０は、メインプログラム４５の実行を再開し、表示制御部１１は、道路交通情報を表示画面１０Ａに表示すべく、各発光素子１０Ｂを駆動する信号をドライバ１０Ｃに出力する。この動作により、表示画面１０Ａには、道路交通情報が再び表示される。
【００２４】
図１に戻り、無線送受信部１２は、アンテナ１３を介して特定の周波数帯域の無線信号を受信し、その無線信号をデジタル信号に復調し、表示制御部１１に出力する。無線送受信部１２が受信する無線信号は、保守点検装置２から送られる保守点検指令である。
【００２５】
アンテナ１３は、無線送受信部１２により駆動され、特定の周波数帯域の電波を無線信号として受信する。アンテナ１３は、保守点検装置２から送られる保守点検指令を示す電波を受信する。本実施の形態では、無線送受信部１２及びアンテナ１３が、無線信号受信部に対応する。
【００２６】
有線送受信部１４は、道路交通情報センタから道路交通情報を含む通常表示指令をケーブル１５を介して入力して、表示制御部１１に送信する。
【００２７】
保守点検装置２は、撮像装置であるカメラ２０と、保守点検処理を行う検査処理部２１と、無線信号の送受信回路である無線送受信部２２と、無線信号の送受信アンテナであるアンテナ２３と、を備える。
【００２８】
カメラ２０は、図５に示すように、撮像を行う撮像部２０Ａと、撮像部２０Ａを駆動する駆動部２０Ｂと、を備える。撮像部２０Ａは、情報表示装置１の表示画面１０Ａを一定時間連続撮像可能である。撮像の時間間隔は、情報表示装置１における表示画面１０Ａの検査用点灯パターン４７（全点灯パターン４７Ａ、全消灯パターン４７Ｂ、縦走査点灯パターン４７Ｃ、横走査点灯パターン４７Ｄ）の１つ１つのパターンが切り替えられる時間間隔よりも十分に短くなるように設定されている。また、撮像部２０Ａは、撮像された表示画面１０Ａの画像から、その発光素子１０Ｂの点灯、消灯、明るさ（輝度）などを割り出すことができる程度の解像度及び階調度を有している。
【００２９】
また、カメラ２０では、駆動部２０Ｂの駆動により、特定の被写体（ここでは、情報表示装置１の表示画面１０Ａ）を撮像部２０Ａの撮像視野内に常に収めるような追従制御が可能である。また、撮像部２０Ａは、オートフォーカス機能を有している。
【００３０】
検査処理部２１は、図５に示すように、演算処理装置であるプロセッサ５０と、プログラム及びデータを記憶する記憶部５１と、を備える。
【００３１】
プロセッサ５０が記憶部５１に格納された保守点検プログラム６５を実行することにより、カメラ制御部（撮像制御部）６０の機能と、検査部６１の機能とが実現される。記憶部５１には、他に、撮像データ６６などが記憶される。
【００３２】
検査処理部２１のカメラ制御部６０は、撮像部２０Ａに道路Ｒの前方を撮像させつつ、撮像部２０Ａの撮像データを用いて情報表示装置１の表示画面１０Ａを、画像認識を行って検出し、検出された情報表示装置１の表示画面１０Ａを撮像視野内に収め、かつ、合焦するような追従制御及びオートフォーカス制御を行う。カメラ制御部６０は、追従制御及びオートフォーカス制御を行いつつ、撮像データにおける表示画面１０Ａの大きさが、各発光素子１０Ｂの点灯状態を検出可能な大きさになったと判定した場合に、情報表示装置１の表示画面１０Ａに検査用点灯パターン４７を表示させるべく、保守点検指令を示す信号を無線送受信部２２に出力する。
【００３３】
また、カメラ制御部６０は、撮像開始指令を撮像部２０Ａに出力し、撮像部２０Ａに連続撮像を開始させる。また、一定期間の連続撮像後、カメラ制御部６０は、撮像終了指令を撮像部２０Ａに出力し、撮像部２０Ａに撮像を終了させる。連続撮像により得られた撮像データは、撮像データ６６として記憶部５１に記憶される。
【００３４】
検査部６１は、撮像部２０Ａで撮像され記憶部５１に記憶された撮像データ６６から、検査用点灯パターン４７（全点灯パターン４７Ａ、全消灯パターン４７Ｂ、縦走査点灯パターン４７Ｃ、横走査点灯パターン４７Ｄ）が表示された撮像データを抽出し、その撮像データを解析して、表示画面１０Ａの発光素子１０Ｂの点灯状態を検査する。
【００３５】
無線送受信部２２は、アンテナ２３を介して、情報表示装置１に対して特定の周波数帯域の無線信号、すなわち保守点検指令を送信する。
【００３６】
アンテナ２３は、無線送受信部２２により駆動され、特定の周波数帯域の無線信号に相当する電波を発信する。本実施の形態では、無線送受信部２２及びアンテナ２３が、保守点検装置２の無線信号送信部に対応する。
【００３７】
上述の構成を有する情報表示装置１と保守点検装置２とで構成される保守点検システム１００の動作について説明する。
【００３８】
図６に示すように、まず、保守点検装置２では、検査処理部２１（カメラ制御部６０）が、情報表示装置１が撮像可能位置に到達するまで待つ（ステップＳ１１；Ｎｏ）。ここでは、撮像部２０Ａの撮像データに基づいて、その撮像視野内に情報表示装置１が補足され、情報表示装置１の表示画面１０Ａの個々の発光素子１０Ｂを抽出することができた場合に、検査処理部２１（カメラ制御部６０）は、撮像可能位置に到達したと判定する。例えば、図７に示すように、検査用車両３が位置Ｐ１（時点ｔ１）に到達して、図８に示すように、表示画面１０Ａをカメラ２０の撮像視野ＩＦ内で各発光素子１０Ｂの点灯状態を確認可能な大きさとなったときに、カメラ制御部６０は、撮像可能位置に到達したと判定する。
【００３９】
撮像可能位置に到達したと判定されると（ステップＳ１１；Ｙｅｓ）、検査処理部２１（カメラ制御部６０）は、保守点検指令を無線送受信部２２及びアンテナ２３を介して情報表示装置１に送信する（ステップＳ１２）。ここで、例えば図９に示すように、時点ｔ１において、保守点検指令が、保守点検装置２から情報表示装置１に送信される。
【００４０】
一方、情報表示装置１では、表示制御部１１が、道路交通情報センタから有線送受信部１４を介して受信した道路交通情報の表示を行う（ステップＳ２１）。その後、表示制御部１１は、無線送受信部１２を介して無線信号を受信したか否かを判定する（ステップＳ２２）。無線信号を受信していなければ（ステップＳ２２；Ｎｏ）、表示制御部１１は、道路交通情報の表示を行う（ステップＳ２１）。このように、表示制御部１１は、無線信号を受信するまで、ステップＳ２１、Ｓ２２が実行され、表示画面１０Ａに道路交通情報の表示を行うとともに、無線信号の受信待ちを行う。
【００４１】
無線信号を受信すると（ステップＳ２２；Ｙｅｓ）、情報表示装置１の表示制御部１１は、内部割り込みを発生させる（ステップＳ２３）。
【００４２】
内部割り込みが発生すると、表示制御部１１のプロセッサ３０は、割り込みプログラム４６を実行する。割り込みプログラム４６において、表示制御部１１は、検査用点灯パターン４７を記憶部３１から読み込んで、ドライバ１０Ｃにより発光素子１０Ｂを個別に駆動し、検査用点灯パターン４７、すなわち図４（Ａ）、図４（Ｂ）、図４（Ｃ）、図４（Ｄ）に示す全点灯パターン４７Ａ、全消灯パターン４７Ｂ、縦走査点灯パターン４７Ｃ、横走査点灯パターン４７Ｄを表示部１０の表示画面１０Ａに順次表示する（ステップＳ２４）。全点灯パターン４７Ａ、全消灯パターン４７Ｂ、縦走査点灯パターン４７Ｃ、横走査点灯パターン４７Ｄのそれぞれの表示時間は、道路Ｒを走行する自動車の運転者が肉眼で認識できないほどのごく短い時間とすることができる。
【００４３】
検査用点灯パターン４７の表示が終了すると、表示制御部１１は、割り込み処理を終了する。その後、表示制御部１１のプロセッサ３０は、メインプログラム４５の実行状態に復帰して、道路交通情報を再表示する（ステップＳ２１）。
【００４４】
一方、保守点検指令を送信（ステップＳ１２）した後、保守点検装置２の検査処理部２１（カメラ制御部６０）は、カメラ２０による撮像を開始させる（ステップＳ１３）。例えば、図９に示すように、検査用車両３が、位置Ｐ２（図７参照）に到達した時点ｔ２において、カメラ２０による撮像が開始される。これにより、カメラ２０は、情報表示装置１の表示画面１０Ａを連続撮像する。
【００４５】
連続撮像後、検査処理部２１（カメラ制御部６０）は、カメラ２０による撮像を終了させる（ステップＳ１４）。例えば、検査用車両３が、位置Ｐ３（図７参照）に到達した時点ｔ３において、カメラ２０による撮像が終了する。図９に示すように、時点ｔ２から時点ｔ３の間に、表示画面１０Ａに検査用点灯パターン４７（全点灯パターン４７Ａ、全消灯パターン４７Ｂ、縦走査点灯パターン４７Ｃ、横走査点灯パターン４７Ｄ）が表示されていれば、それらの点灯パターンの画像データが撮像され、記憶部５１に撮像データ６６として格納される。
【００４６】
図６に戻り、続いて、検査処理部２１（検査部６１）は、記憶部５１に記憶された撮像データ６６に基づいて、表示画面１０Ａの各発光素子１０Ｂの点灯状態の検査を行う（ステップＳ１５）。この検査では、例えば、各発光素子１０Ｂの輝度低下、発光素子１０Ｂ間の輝度のばらつき、不点灯、常点灯又はクロストーク（漏話）等の異常点灯が検査される。ここで、不点灯とは、点灯するように指令しているにもかかわらず、その発光素子１０Ｂが消灯する状態をいう。常点灯とは、消灯するように指令しているにもかかわらず、その発光素子１０Ｂが点灯する状態をいう。
【００４７】
例えば、検査部６１は、図４（Ａ）に示す全点灯パターン４７Ａに対応する撮像データ４８Ａにおける各発光素子１０Ｂの輝度に基づいて、各発光素子１０Ｂの輝度の低下又は発光素子１０Ｂ間の輝度のばらつきを検出する。例えば、図１０（Ａ）に示すように、画素Ｐ（ｍ１，ｎ１）の発光素子１０Ｂの輝度が低下又は消灯していた場合、検査部６１は、その発光素子１０Ｂの輝度の低下又は消灯を検出する。また、検査部６１は、発光素子１０Ｂの輝度の適正値に対する、各発光素子１０Ｂの輝度のばらつき、適正値からの輝度の不足分又は過剰分を算出し、算出された値が閾値を超える発光素子１０Ｂを特定する。
【００４８】
この全点灯パターン４７Ａを用いれば、例えば、表示画面１０Ａの全体の輝度が低下していること（適正値から輝度が低下している状態）も検出することができる。
【００４９】
さらには、カメラ２０の連続撮像タイミングが十分に短い場合には、カメラ２０が全点灯パターン４７Ａが表示されている状態で連続撮像を行い、各発光素子１０Ｂの輝度の急激な時間変動、すなわち各発光素子１０Ｂのちらつき（例えば点灯と消灯を繰り返す状態）も検出することができる。
【００５０】
また、検査部６１は、図４（Ｂ）に示す全消灯パターン４７Ｂに対応する撮像データ４８Ｂにおける各発光素子１０Ｂの輝度に基づいて、発光素子１０Ｂの常点灯を検出する。図１０（Ｂ）に示すように、画素Ｐ（ｍ２，ｎ２）の発光素子１０Ｂが点灯していた場合、検査部６１は、その発光素子１０Ｂを常点灯と判定する。
【００５１】
また、検査部６１は、図４（Ｃ）に示す縦走査点灯パターン４７Ｃと、図４（Ｄ）に示す横走査点灯パターン４７Ｄが表示されていたときの撮像データ４８Ｃ，４８Ｄにおける各発光素子１０Ｂの輝度に基づいて、発光素子１０Ｂのクロストークを検出する。図１０（Ｃ）及び図１０（Ｄ）に示すように、点灯すべきライン以外の発光素子１０Ｂ（画素Ｐ（ｍ３，ｎ３）、Ｐ（ｍ４，ｎ４））が点灯していた場合、検査部６１は、その発光素子１０Ｂのクロストークを検出する。
【００５２】
図６に戻り、発光素子１０Ｂの点灯状態の検査（ステップＳ１５）が終了すると、検査処理部２１は処理を終了する。点灯状態の検査において、無視できない発光素子１０Ｂの輝度低下又は不点灯、ちらつき、各発光素子１０Ｂ間の輝度のばらつき、常点灯、クロストーク等の異常点灯が検出された場合、その後のメンテナンスにおいて、異常が検出された発光素子１０Ｂ（例えば、図４（Ａ）の画素Ｐ（ｍ１，ｎ１）の発光素子１０Ｂ）の交換、修理、調整が行われる。
【００５３】
実施の形態２．
次に、本発明の実施の形態２について、図１１及び図１２を参照して説明する。
【００５４】
本実施の形態２に係る保守点検システム１００の構成は、上記実施の形態１に係る保守点検システム１００の構成（図１参照）と同じであるが、動作が異なる。上記実施の形態１に係る保守点検システム１００においては、カメラ２０の撮像タイミングは、保守点検装置２側で決められていた。これに対して、本実施の形態２に係る保守点検システム１００では、情報表示装置１での検査用点灯パターン４７の表示タイミングと、保守点検装置２のカメラ２０の撮像タイミングとを合わせる処理が行われる。
【００５５】
このため、情報表示装置１の無線送受信部１２及びアンテナ１３は、無線信号の受信に加え、無線信号の送信も可能となっている。また、保守点検装置２の無線送受信部２２及びアンテナ２３は、無線信号の送信に加え、無線信号の受信も可能である。本実施の形態では、情報表示装置１の無線送受信部１２及びアンテナ１３が、無線信号受信部及び無線信号送信部に対応し、保守点検装置２の無線送受信部２２及びアンテナ２３が、無線信号受信部及び無線信号送信部に対応する。
【００５６】
図１１に示すように、まず、検査処理部２１（カメラ制御部６０）は、情報表示装置１が撮像可能位置に到達するまで待つ（ステップＳ１１；Ｎｏ）。撮像可能位置に到達したと判定されると（ステップＳ１１；Ｙｅｓ）、検査処理部２１（カメラ制御部６０）は、保守点検指令の無線信号を無線送受信部２２及びアンテナ２３を介して情報表示装置１に送信する（ステップＳ１２）。
【００５７】
一方、情報表示装置１の表示制御部１１は、道路交通情報センタから受信した道路交通情報の表示（ステップＳ２１）と、無線信号受信判定（ステップＳ２２；Ｎｏ）とを繰り返し行っている。無線信号を受信すると（ステップＳ２２；Ｙｅｓ）、表示制御部１１は、内部割り込みを発生させる（ステップＳ２３）。
【００５８】
内部割り込みが発生すると、表示制御部１１のプロセッサ３０は、割り込みプログラム４６を実行する。割り込みプログラム４６において、表示制御部１１は、撮像指令を、無線送受信部１２及びアンテナ１３を介して、保守点検装置２に送信する（ステップＳ２５）。続いて、表示制御部１１は、検査用点灯パターン４７を表示画面１０Ａに表示させ（ステップＳ２４）、割り込みを終了し、通常の道路交通情報の表示に戻る（ステップＳ２１）。
【００５９】
一方、保守点検装置２の検査処理部２１（カメラ制御部６０）は、撮像指令受信待ちとなっている（ステップＳ１６；Ｎｏ）。撮像指令を、アンテナ２３及び無線送受信部２２を介して受信すると、検査処理部２１（カメラ制御部６０）は、カメラ２０による撮像を開始する（ステップＳ１３）。連続撮像後、検査処理部２１（カメラ制御部６０）は、カメラ２０の撮像を終了する（ステップＳ１４）。続いて、検査部６１は、撮像データ６６に基づいて、表示画面１０Ａにおける発光素子１０Ｂの点灯状態の検査を行う（ステップＳ１５）。
【００６０】
このように、本実施の形態に係る保守点検システム１００によれば、図１２に示すように、表示画面１０Ａが検査用点灯パターン４７を表示するタイミングを撮像指令として保守点検装置２の検査処理部２１に伝え、そのタイミングで検査処理部２１が撮像を行う。これにより、表示画面１０Ａにおける検査用点灯パターン４７の表示タイミングと、カメラ２０の撮像タイミングとを合わせ易くなる。これにより、検査用点灯パターン４７の撮像に失敗する可能性を低減することができ、カメラ２０の撮像期間（時点ｔ２〜時点ｔ３）を短くすることができる。
【００６１】
なお、本実施の形態では、撮像を開始する撮像指令だけを情報表示装置１から保守点検装置２に送信したが、検査用点灯パターン４７を表示した後、撮像を終了する指令を情報表示装置１から保守点検装置２に送信するようにしてもよい。このようにすれば、カメラ２０の撮像期間をより短縮することができる。
【００６２】
実施の形態３．
次に、本発明の実施の形態３について、図１３及び図１４を参照して説明する。
【００６３】
本実施の形態に係る保守点検システム１００の構成は、上記実施の形態１、２に係る保守点検システム１００の構成と同じであるが動作が異なる。本実施の形態に係る保守点検システム１００は、保守点検装置２の検査処理部２１で行われる発光素子１０Ｂの点灯状態の検査において、発光素子１０Ｂの輝度低下、ちらつき又は発光素子１０Ｂ間の輝度のばらつきの増大が検出された場合に、それらを調整する。発光素子１０Ｂの輝度低下、ちらつき又は発光素子１０Ｂ間の輝度のばらつきの増大は、情報表示装置１を長期間運用した結果、発光素子１０Ｂの寿命特性である輝度低下により発生するものであり、情報表示装置１の表示制御部１１で輝度を調整することにより表示画面１０Ａの表示状態を改善できる見込みがあるためである。
【００６４】
表示制御部１１は、個々の発光素子１０Ｂの輝度を調整可能である。例えば、輝度が低くなっている発光素子１０Ｂに流す駆動電流を増やせば、輝度を大きくすることができる。また、輝度が平均より低い幾つかの発光素子１０Ｂの駆動電流を増やせば、発光素子１０Ｂ間の輝度のばらつきを抑制することができる（図１４参照）。
【００６５】
図１３に示すように、まず、保守点検装置２の検査処理部２１が、撮像可能位置到達判定（ステップＳ１１）、保守点検指令送信（ステップＳ１２）、撮像開始（ステップＳ１３）、撮像終了（ステップＳ１４）、点灯状態の検査（ステップＳ１５）を順番に実行するのは、上記実施の形態１（図６参照）と同じである。
【００６６】
一方、情報表示装置１の表示制御部１１は、道路交通情報センタから受信した道路交通情報の表示（ステップＳ２１）、無線信号受信判定（ステップＳ２２；Ｎｏ）を繰り返している。無線信号を受信すると（ステップＳ２２；Ｙｅｓ）、表示制御部１１は、内部割り込みを発生させる（ステップＳ２３）。
【００６７】
内部割り込みが発生すると、表示制御部１１のプロセッサ３０は、割り込みプログラム４６を実行する。割り込みプログラム４６において、表示制御部１１は、受信したのが調整指令であるか否かを判定する（ステップＳ２６）。調整指令でなければ（ステップＳ２６；Ｎｏ）、表示制御部１１は、検査用点灯パターン４７を記憶部３１から読み込んで、ドライバ１０Ｃにより発光素子１０Ｂを個別に駆動し、検査用点灯パターン４７、すなわち図４（Ａ）、図４（Ｂ）、図４（Ｃ）、図４（Ｄ）に示す全点灯パターン４７Ａ、全消灯パターン４７Ｂ、縦走査点灯パターン４７Ｃ、横走査点灯パターン４７Ｄを表示部１０の表示画面１０Ａに順次表示する（ステップＳ２４）。検査用点灯パターン４７の表示が終了すると、表示制御部１１は、割り込み処理を終了する。すると、表示制御部１１のプロセッサ３０は、メインプログラム４５に復帰して、道路交通情報の再表示（ステップＳ２１）、無線信号の受信判定（ステップＳ２２）を繰り返す。
【００６８】
一方、保守点検指令を送信（ステップＳ１２）した後、保守点検装置２の検査処理部２１（カメラ制御部６０）は、カメラ２０による撮像を開始する（ステップＳ１３）。これにより、カメラ２０は、情報表示装置１の表示画面１０Ａが連続撮像される。連続撮像後、検査処理部２１（カメラ制御部６０）は、カメラ２０による撮像を終了する（ステップＳ１４）。
【００６９】
続いて、検査処理部２１（検査部６１）は、カメラ２０で撮像された撮像データ６６に基づいて、表示画面１０Ａの各発光素子１０Ｂの点灯状態の検査を行う（ステップＳ１５）。この検査では、例えば、発光素子１０Ｂ間の輝度のばらつき、各発光素子１０Ｂの輝度低下、発光素子１０Ｂ間のばらつき、不点灯、常点灯又はクロストーク等の異常点灯が検査される。
【００７０】
続いて、検査処理部２１（検査部６１）は、検査の結果、得られた調整指令を無線送受信部２２及びアンテナ２３を介して情報表示装置１に送信する（ステップＳ１７）。この調整指令には、輝度の低下が検出された画素Ｐ（ｍ，ｎ）に対応する発光素子１０Ｂを特定する情報と、その発光素子１０Ｂの輝度値の輝度調整値などが含まれている。例えば、図１４に示すように、画素Ｐ（ｍ１，ｎ１）に対応する発光素子１０Ｂの輝度が、適正値よりも低い場合に、発光素子１０Ｂ間で輝度が均等となるような輝度調整値が算出され、画素Ｐ（ｍ１，ｎ１）と、算出された輝度調整値とが調整指令に含められ、情報表示装置１に送信される。
【００７１】
一方、情報表示装置１の表示制御部１１は、道路交通情報表示（ステップＳ２１）及び無線信号受信判定（ステップＳ２２；Ｎｏ）を繰り返している。無線信号を受信すると（ステップＳ２２；Ｙｅｓ）、表示制御部１１は、内部割り込みを発生させる（ステップＳ２３）。表示制御部１１は、受信したのが調整指令であるか否かを判定する（ステップＳ２６）。調整指令であれば（ステップＳ２６；Ｙｅｓ）、表示制御部１１は、点灯状態の調整を行う（ステップＳ２７）。
【００７２】
例えば、図１０（Ｂ）に示すように、調整指令が画素Ｐ（ｍ２，ｎ２）に対応する発光素子１０Ｂを示していた場合、調整指令に示される輝度調整値だけその発光素子１０Ｂに流す電流値を大きくする。これにより、画素Ｐ（ｍ２，ｎ２）に対応する発光素子１０Ｂの輝度を高く調整することができる。また、図１４に示すように、輝度が適正値より低い幾つかの画素Ｐ（ｍ，ｎ）に対応する発光素子１０Ｂの輝度を、輝度調整値分だけ電流を増減させるようにすれば、発光素子１０Ｂ間の輝度のばらつきを抑制し、各発光素子１０Ｂの輝度を適正値に保つことができる。
【００７３】
点灯状態の調整（ステップＳ２７）が完了すると、表示制御部１１は、割り込みを終了して、道路交通情報の表示（ステップＳ２１）及び無線信号受信判定（ステップＳ２２；Ｎｏ）を繰り返す。
【００７４】
なお、本実施の形態では、表示制御部１１から送信される撮像指令を待つことなく、カメラ制御部６０がカメラ２０による撮像を行ったが、本発明はこれには限られない。上記実施の形態２と同様に、保守点検装置２は、情報表示装置１から撮像指令を受信してから、カメラ２０により表示画面１０Ａを撮像するようにしてもよい。
【００７５】
また、上記各実施の形態では、発光素子１０Ｂの輝度を検査及び調整する場合について説明したが、本発明はこれには限られない。発光素子１０Ｂの発色を検査及び調整するようにしてもよい。
【００７６】
以上詳細に説明したように、上記各実施の形態に係る保守点検システム１００において、保守点検指令を受信すると、走行車両に対する道路交通情報の表示を中断し、情報表示装置１に検査用点灯パターン４７を表示させ、走行車両に対する道路交通情報の表示を再開する。したがって、表示画面１０Ａに表示された検査用点灯パターン４７をカメラ２０で撮像すれば、その撮像データに基づいて表示画面１０Ａの発光素子１０Ｂの点灯状態を自動的に検査することができるうえ、走行車両に対する道路交通情報の表示を停止する時間を短くすることができる。この結果、安全、迅速かつ容易に表示画面１０Ａの保守点検を行うことができる。
【００７７】
なお、上記各実施の形態では、無線信号の伝送媒体は、電波には限られない。例えば、光（赤外光、可視光、レーザ光）、音又は超音波を伝送媒体として用いてもよい。伝送媒体が光である場合には、アンテナ１３、２３の代わりにフォトセンサ及び発光ダイオード等が用いられ、音である場合には、アンテナ１３、２３の代わりにマイクロフォン及びスピーカ等が用いられ、超音波である場合には、アンテナ１３、２３の代わりに、超音波センサ及び超音波スピーカ等が用いられる。
【００７８】
また、上記各実施の形態では、検査用点灯パターン４７の表示時間を、人間が認識できないほどの時間としたが、認識できる程度の短い時間であってもよい。この場合、検査用点灯パターン４７の輝度を、通常の道路交通情報よりも低くして目立ちにくくするようにしてもよい。
【００７９】
また、保守点検装置２は検査用車両３に搭載したものでなくてもよい。例えば、自動二輪車に搭載されていてもよい。
【００８０】
また、上記各実施の形態では、撮像部２０Ａで撮像される画像に基づいて、撮像可能位置に到達したことを検出するが、本発明はこれには限られない。例えば、ＧＰＳ（Global Positioning System）から得られる位置情報に基づいて、情報表示装置１と保守点検装置２との相対距離を算出し、その相対距離に基づいて撮像可能位置に到達したことを検出するようにしてもよい。
【００８１】
また、上記各実施の形態では、撮像可能位置に到達した時点で、保守点検指令を送信したが、本発明はこれには限られない。手動操作により、保守点検指令を送信するようにしてもよい。また、撮像部２０Ａは、手動操作により、表示画面１０Ａの撮像を開始するようにしてもよい。
【００８２】
図１では、検査用車両３に保守点検装置２（カメラ２０、検査処理部２１、無線送受信部２２、アンテナ２３）を搭載しているが、保守点検装置２は検査用車両３から分離して搬送可能な装置であってもよい。また、保守点検装置２は、特定の場所（情報表示装置１の表示画面１０Ａを撮像可能な場所）に据え置き型の装置であってもよい。例えばドローンに保守点検装置２を搭載してもよい。また、検査用車両３を保守点検装置２の道路Ｒ上を走行可能な走行部とみなし、検査用車両３全体を保守点検装置２と捉えることも可能である。
【００８３】
また、上記各実施の形態では、一般道路や高速道路に設置された情報表示装置１について説明したが、本発明はこれには限られない。情報表示装置１は、鉄道、船舶、飛行機等の他の移動体に対して伝えるべき情報を表示する装置であってもよい。この場合、保守点検装置２も、鉄道、船舶、飛行機等の他の移動体に搭載される。
【００８４】
また、上記各実施の形態では、発光素子１０Ｂを発光ダイオードであるとしたが、本発明はこれには限られない。有機ＥＬ（Electro Luminescence）又は半導体レーザ等の半導体発光素子の他の発光素子を用いてもよい。
【００８５】
また、上記実施の形態３では、発光素子１０Ｂに流す電流を調整したが、本発明はこれには限られない。発光素子１０Ｂがパルス幅変調制御で点灯されている場合には、そのパルス幅を調整するようにしてもよい。
【００８６】
また、単に、情報表示装置１に表示された検査用パターンを、車両に乗った状態でデジタルカメラで撮像し、デジタルカメラで撮影された撮像データに対して画像処理を行うか、又は目視で確認して、情報表示装置１の表示画面１０Ａの発光素子１０Ｂの点灯状態を検査するようにしてもよい。
【００８７】
その他、情報表示装置１の表示制御部１１及び保守点検装置２の検査処理部２１のハードウエア構成やソフトウエア構成は一例であり、任意に変更および修正が可能である。
【００８８】
情報表示装置１の表示制御部１１及び保守点検装置２の検査処理部２１の処理を行う中心となる部分は、専用のシステムによらず、通常のコンピュータシステムを用いて実現可能である。例えば、前記の動作を実行するためのコンピュータプログラムを、コンピュータが読み取り可能な記録媒体（フレキシブルディスク、ＣＤ−ＲＯＭ、ＤＶＤ−ＲＯＭ等）に格納して配布し、当該コンピュータプログラムをコンピュータにインストールすることにより、前記の処理を実行する表示制御部１１及び検査処理部２１を構成してもよい。また、インターネットの通信ネットワーク上のサーバ装置が有する記憶装置に当該コンピュータプログラムを格納しておき、通常のコンピュータシステムがダウンロードすることで表示制御部１１及び検査処理部２１を構成してもよい。
【００８９】
表示制御部１１及び検査処理部２１の機能を、ＯＳ（オペレーティングシステム）とアプリケーションプログラムの分担、またはＯＳとアプリケーションプログラムとの協働により実現する場合などには、アプリケーションプログラムのみを記録媒体や記憶装置に格納してもよい。
【００９０】
搬送波にコンピュータプログラムを重畳し、通信ネットワークを介して配信することも可能である。たとえば、通信ネットワーク上の掲示板（BBS, Bulletin Board System）にコンピュータプログラムを掲示し、ネットワークを介してコンピュータプログラムを配信してもよい。そして、このコンピュータプログラムを起動し、ＯＳの制御下で、他のアプリケーションプログラムと同様に実行することにより、前記の処理を実行できる構成を有していてもよい。
【００９１】
この発明は、この発明の広義の精神と範囲を逸脱することなく、様々な実施の形態及び変形が可能とされるものである。また、上述した実施の形態は、この発明を説明するためのものであり、この発明の範囲を限定するものではない。すなわち、この発明の範囲は、実施の形態ではなく、特許請求の範囲によって示される。そして、特許請求の範囲内及びそれと同等の発明の意義の範囲内で施される様々な変形が、この発明の範囲内とみなされる。
【産業上の利用可能性】
【００９２】
本発明は、高速道路又は一般道路の情報表示装置の保守点検に適用することができる。
【符号の説明】
【００９３】
１  情報表示装置、２  保守点検装置、３  検査用車両、１０  表示部、１０Ａ  表示画面、１０Ｂ  発光素子、１０Ｃ  ドライバ、１１  表示制御部、１２  無線送受信部、１３  アンテナ、１４  有線送受信部、１５  ケーブル、２０  カメラ、２０Ａ  撮像部、２０Ｂ  駆動部、２１  検査処理部、２２  無線送受信部、２３  アンテナ、３０  プロセッサ、３１  記憶部、４５  メインプログラム、４６  割り込みプログラム、４７  検査用点灯パターン、４７Ａ  全点灯パターン、４７Ｂ  全消灯パターン、４７Ｃ  縦走査点灯パターン、４７Ｄ  横走査点灯パターン、４８Ａ，４８Ｂ，４８Ｃ，４８Ｄ  撮像データ、５０  プロセッサ、５１  記憶部、６０  カメラ制御部、６１  検査部、６５  保守点検プログラム、６６  撮像データ、１００  保守点検システム、ＩＦ  撮像視野、Ｒ  道路
【図１】
2018120509.tif 000003
【図２】
2018120509.tif 000004
【図３】
2018120509.tif 000005
【図４】
2018120509.tif 000006
【図５】
2018120509.tif 000007
【図６】
2018120509.tif 000008
【図７】
2018120509.tif 000009
【図８】
2018120509.tif 000010
【図９】
2018120509.tif 000011
【図１０】
2018120509.tif 000012
【図１１】
2018120509.tif 000013
【図１２】
2018120509.tif 000014
【図１３】
2018120509.tif 000015
【図１４】
2018120509.tif 000016